(57)【特許請求の範囲】
【請求項１】
遊技を実現する遊技装置体、
該遊技装置体を内包する遊技機枠、
遊技を制御する第１電子基板を内包する第１基板ケース、
該第１基板ケースの少なくとも一部を覆うように配置され、遊技を制御する第２電子基板を内包する第２基板ケース、及び、
該第１基板ケースと該第２基板ケースとの間に配置されるベース部材を有する電子基板ユニットと、中継基板と、を有する遊技機であって、
該第１基板ケースは、該ベース部材と係合する第１基板係合部を有し、
該ベース部材は、該第１基板ケースと係合するベース第１係合部と、該第２基板ケースと係合するベース第２係合部を有し、
該第２基板ケースは、該ベース部材と係合する第２基板係合部を有しており、
該第１基板係合部と該ベース第１係合部とが係合した第１係合状態では、該第１基板ケースと該ベース部材との相対移動が規制され、かつ該第１係合状態において該第１基板係合部と該ベース第１係合部とのうち少なくとも一方に対する第１解除操作がなされることにより前記第１係合状態が解除された第１非係合状態となり、該第１非係合状態では、該第１基板ケースと該ベース部材との相対移動が可能となり、
該第２基板係合部と該ベース第２係合部とが係合した第２係合状態では、該第２基板ケースと該ベース部材との相対移動が規制され、かつ該第２係合状態において該第２基板係合部と該ベース第２係合部とのうち少なくとも一方に対する第２解除操作がなされることにより前記第２係合状態が解除された第２非係合状態となり、該第２非係合状態では、該第２基板ケースと該ベース部材との相対移動が可能となり、
該第１基板係合部と該ベース第１係合部とが係合した第１係合状態では、前記第２解除操作が制限されており、かつ該第１係合状態が解除された該第１非係合状態では、前記第２解除操作の制限が解除されており、該第２基板係合部と該ベース第２係合部とのうち少なくとも一方に対する第２解除操作が実行可能となるように構成され、
前記電子基板ユニットは、前記遊技装置体又は前記遊技機枠に対して装着されており、
前記中継基板は、前記ベース第２係合部を覆って基板同士の電気的接続を行い、前記第２解除操作を規制するように構成されている、遊技機。
【発明の詳細な説明】
【技術分野】
【０００１】
本発明は、電子基板を内包する基板ケースを有する電子基板ユニットに係り、特に基板ケースに内包された電子基板に対する不正行為を予防することのできる電子基板ユニット等に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、この電子基板及びその周囲構造に対しては、外部からのアクセスが困難となるような工夫がなされる必要がある。
【０００４】
例えば特許文献１には、遊技を制御する電子基板を被包する基板ボックスと、その基板ボックスに隣接して配置され遊技盤等の裏面を覆うカバー部材と、を有し、基板ボックスが不用意に取り外されることを防止することができる遊技機が記載されている。特許文献１に記載の遊技機は、基板ボックスに第１結合部が設けられており、この第１結合部と結合自在の第２結合部がカバー部材に設けられている。更に、カバー部材によって遊技盤等の裏面が覆われた状態において、第１結合部と第２結合部とを結合して基板ボックスを所定位置に拘止するボックス拘止具が設けられている。
【０００５】
また、特許文献２には、制御基板を収納する収納ケースを枠体に装着し、この収納ケースの取り外しを妨げる位置にパトランプを配置して、パトランプを取り外さない限り、制御基板を収納する収納ケースを取り外すことができないように構成した遊技機が記載されている。
【先行技術文献】
【特許文献】
【０００６】
【特許文献１】特開２００３−１７５２４９号公報
【特許文献２】特開２００８−２２０６７６号公報
【発明の概要】
【発明が解決しようとする課題】
【０００７】
特許文献１に記載の遊技機は、カバー部材によって遊技盤等の裏面が覆われた状態においては、基板ボックスが取り外されることを防止することができるが、ボックス拘止具による拘止が解除されると、基板ボックスを取り外すことが可能であり、十分な不正対策効果を発揮することができなかった。
【０００８】
また、特許文献２に記載の遊技機は、パトランプを遊技機枠に装着することに収納ケースが不正に取り外されることを防止しているが、パトランプを設けない構成においては不正対策効果を発揮することができなった。
【０００９】
本発明は、上記の事情に鑑みてなされたもので、電子基板を内包する基板ケースが不正に取り外され難く構成して、電子基板に対する不正行為を常に予防することができる電子基板ユニット及び遊技機を提供することを例示的課題とする。
【課題を解決するための手段】
【００１０】
上記の課題を解決するために、本発明の例示的側面としての電子基板ユニットは、遊技を制御する第１電子基板を内包する第１基板ケースと、第１基板ケースの少なくとも一部を覆うように配置され、遊技を制御する第２電子基板を内包する第２基板ケースと、第１基板ケースと第２基板ケースとの間に配置されるベース部材と、を有しており、第１基板ケースは、ベース部材と係合する第１基板係合部を有し、ベース部材は、第１基板ケースと係合するベース第１係合部と、第２基板ケースと係合するベース第２係合部を有し、第２基板ケースは、ベース部材と係合する第２基板係合部を有しており、第１基板係合部とベース第１係合部とが係合した第１係合状態では、第１基板ケースとベース部材との相対移動が規制され、かつ第１係合状態において第１基板係合部とベース第１係合部とのうち少なくとも一方に対する第１解除操作がなされることにより第１係合状態が解除された第１非係合状態となり、第１非係合状態では、第１基板ケースとベース部材との相対移動が可能となり、第２基板係合部とベース第２係合部とが係合した第２係合状態では、第２基板ケースとベース部材との相対移動が規制され、かつ第２係合状態において第２基板係合部とベース第２係合部とのうち少なくとも一方に対する第２解除操作がなされることにより第２係合状態が解除された第２非係合状態となり、第２非係合状態では、第２基板ケースとベース部材との相対移動が可能となり、第１基板係合部とベース第１係合部とが係合した第１係合状態では、第２解除操作が制限された規制状態を実現し、第１係合状態が解除された第１非係合状態では、第２解除操作の制限が解除された非規制状態を実現するように構成されており、非規制状態では、第２基板係合部とベース第２係合部とのうち少なくとも一方に対する第２解除操作が実行可能となるように構成されている。
【００１１】
第１基板ケース内には、遊技を制御する第１電子基板が内包されており、第２基板ケース内には、遊技を制御する第２電子基板が内包されている。各電子基板を内包した状態において、第１基板ケースの上方に第２基板ケースが配置されており、第１基板ケースと第２基板ケースとの間には、各基板ケースと係合可能なベース部材が設けられている。
【００１２】
第１基板ケースには、ベース部材と係合する第１基板係合部が設けられており、ベース部材には、第１基板ケースと係合するベース第１係合部と、第２基板ケースと係合するベース第２係合部と、が設けられており、第２基板ケースには、ベース部材と係合する第２基板係合部が設けられている。これらの係合部が係合したり係合が解除されたりすることによって、各基板ケースとベース部材との相対移動を規制した状態や各基板ケースとベース部材との相対移動が可能な状態を実現する。
【００１３】
第１基板ケースの第１基板係合部と、ベース部材のベース第１係合部と、が係合した第１係合状態では、第１基板ケースとベース部材との相対移動が規制されており、第１基板ケースとベース部材とが分離不可能である。したがって、第１基板ケースのみを取り外すことはできない。一方、第１係合状態が解除された第１非係合状態では、第１基板ケースとベース部材との相対移動が可能となり、第１基板ケースとベース部材とが分離可能である。この第１係合状態から第１非係合状態とするためには、第１基板係合部とベース第１係合部とのうち少なくとも一方に対する第１解除操作を行う。
【００１４】
第２基板ケースの第２基板係合部と、ベース部材のベース第２係合部と、が係合した第２係合状態では、第２基板ケースとベース部材との相対移動が規制されており、第２基板ケースとベース部材とが分離不可能である。したがって、第２基板ケースのみを取り外すことができない。一方、第２係合状態が解除された第２非係合状態では、第２基板ケースとベース部材との相対移動が可能となり、第２基板ケースとベース部材とが分離可能である。この第２係合状態から第２非係合状態とするためには、第２基板係合部とベース第２係合部とのうち少なくとも一方に対する第２解除操作を行う。
【００１５】
また、第１基板係合部とベース第１係合部とが係合した第１係合状態では、第２解除操作が制限された規制状態となるように構成されている。したがって、第１係合状態では、第２基板ケースをベース部材から取り外すことができない。一方、第１非係合状態では、第２解除操作の制限を解除した非規制状態が実現されている。したがって、第１非係合状態では、第２解除操作を実行することにより、第２係合状態から第２非係合状態として第２基板ケースとベース部材とを分離することができる。
【００１６】
すなわち、第１係合状態と第２係合状態とが実現された状態においては、第２解除操作を実行することができず、第１係合状態を解除する第１解除操作を行った後に第２解除操作を行うことにより、第２非係合状態とすることができる。第２基板ケースは、ベース部材及び第１基板ケースを覆うように配置されており、不正行為者がアクセスし易い位置にあるため、不正に取り外されてしまうおそれがある。しかし、第２基板ケースのみを単独で取り外しできないようにし、取り外し作業に手間と時間を要するように構成することにより、第２基板ケースが不正に取り外されることを防止することができる。
【００１７】
また、第１基板ケースは、第１係合状態ではベース部材と係合してベース部材との相対移動が規制されており、第１基板係合部又はベース第１係合部に対して第１解除操作が実行されることにより、取り外し可能となる。しかし、第１基板ケースは、ベース部材及び第２基板ケースによって少なくとも一部を覆われており、第１係合状態と第２係合状態とが実現された状態においては、第１基板ケースへのアクセスが困難であり、第１解除操作がし難く構成されている。このような構成によれば、第１解除操作に手間と時間を要するため、第１基板ケースが不正に取り外されることを防止することができる。
【００１８】
このように、第１基板ケース及び第２基板ケースとベース部材との分離作業に手間と時間を要するように構成することにより、基板ケースの不正な取り外しを防止することができる。したがって、第１基板ケース及び第２基板ケースに内包される電子基板への不正アクセスを効果的に防止することができ、セキュリティー性を向上させることが可能となる。
【００１９】
なお、第１解除操作は、第１基板係合部とベース第１係合部とのうち少なくとも一方に対して行われるように構成されていればよく、第１基板係合部のみ操作がなされるように構成されてもよいし、ベース第１係合部のみに操作がなされるように構成されてもよいし、第１基板係合部とベース第１係合部の双方になされるように構成されてもよい。
【００２０】
また、第２解除操作は、第２基板係合部とベース第２係合部とのうち少なくとも一方に対して行われるように構成されていればよく、第２基板係合部のみ操作がなされるように構成されてもよいし、ベース第１係合部のみに操作がなされるように構成されてもよいし、第１基板係合部とベース第１係合部の双方になされるように構成されてもよい。
【００２１】
第１係合状態においては、第１基板ケースに内包された第１電子基板に対するアクセスが規制されており、第２係合状態においては、第２基板ケースに内包された第２電子基板に対するアクセスが規制されていてもよい。このように、各電子基板ケースに内包された電子基板に対するアクセスを規制するように構成することにより、第１係合状態及び第２係合状態において基板ケース自体が不正に取り外されることを防ぐと共に、内包された電子基板に対するアクセスを防止して、電子基板に対する不正行為を効果的に防止することができる。
【００２２】
また、第１基板ケース及び第２基板ケースに開封された痕跡を残す痕跡残留部材を設けてもよい。残留痕跡部材を設けることにより、内包される電子基板にアクセスされた場合であっても、開封された際の痕跡を残すことができるため、不正に開封されたことを早期に発見することが可能となり、被害の拡大を防止することができる。
【００２３】
本発明の他の例示的側面としての遊技機は、遊技を実現する遊技装置体と、遊技装置体を内包する遊技機枠と、上記に記載の電子基板ユニットと、第１基板係合部とベース第１係合部とのうち少なくとも一方と近接するように配置された規制部材と、を有し、電子基板ユニットは、遊技装置体又は遊技機枠に対して装着されており、規制部材は、遊技装置体又は遊技機枠に対して装着されており、第１基板係合部とベース第１係合部のうち少なくとも一方に対する第１解除操作を規制するように構成されている。
【００２４】
このように構成された遊技機によれば、第１基板ケース及び第２基板ケースとベース部材との分離作業に手間と時間を要するように構成することができ、基板ケースの不正な取り外しを防止することができる。したがって、第１基板ケース及び第２基板ケースに内包される電子基板への不正アクセスを効果的に防止することができ、セキュリティー性を向上させることが可能となる。
【００２５】
更に、第１基板係合部とベース第１係合部のうち少なくとも一方に対する第１解除操作を規制する規制部材を備えることにより、規制部材が装着された状態において第１解除操作を制限して、第１基板ケース及び第２基板ケースとベース部材との分離作業に手間と時間とを更に要するように構成することができる。なお、規制部材は、遊技装置体又は遊技機枠に装着可能な部材であればよく、例えば、遊技者に対して画像を表示する画像表示装置を例示することができる。
【００２６】
なお、遊技装置体とは、遊技機における遊技を実現するものであり、例えば、パチンコ遊技機であれば、遊技球の流下による遊技を実現する遊技盤、スロットマシンであれば、絵柄の組合せによる遊技を実現するリールを例示できる。また、電子基板ユニットは、遊技装置体又は遊技機枠に対して装着できる構成であればよく、遊技装置体又は遊技機枠に対して直接装着できる構成であってもよいし、遊技装置体又は遊技機枠との間に部材が配置され、遊技装置体又は遊技機枠に対して間接的に装着できる構成であってもよい。
【００２７】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネットが遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００２８】
本発明の更なる目的又はその他の特徴は、以下添付図面を参照して説明される好ましい実施の形態によって明らかにされるであろう。
【発明の効果】
【００２９】
本発明によれば、第１基板ケース及び第２基板ケースとベース部材との分離作業に手間と時間を要するように構成することができ、基板ケースの不正な取り外しを常に防止することができる。したがって、第１基板ケース及び第２基板ケースに内包される電子基板への不正アクセスを効果的に防止することができ、セキュリティー性を向上させることが可能となる。
【図面の簡単な説明】
【００３０】
【図１】本発明の実施の形態に係るパチンコ機の正面図である。
【図２】図１に示すパチンコ機の背面図である。
【図３】実施の形態に係る制御基板ユニットの背面図である。
【図４】図３に示す制御基板ユニットの斜視図である（ａ）は右上方から視認した状態を示しており、（ｂ）は左下方から視認した状態を示している。
【図５】図３に示す制御基板ユニットを左後方から視認した状態の分解斜視図である。
【図６】図３に示す制御基板ユニットを右前方から視認した状態の分解斜視図である。
【図７】第１非係合状態のベース部材及び演出制御基板ケースを示した図である。
【図８】第２非係合状態のベース部材及び主制御基板ケースを示した図である。
【図９】図３に示すＡ−Ａ断面図である。
【図１０】図９に示すＢ部分の拡大図である。
【発明を実施するための形態】
【００３１】
以下、本発明の実施の形態について図面を用いて説明する。図１は、本発明の実施の形態に係る制御基板ユニット（電子基板ユニット）Ｕを有する遊技機としてのパチンコ機２の正面図である。このパチンコ機２は、遊技機枠３、遊技盤ユニット（遊技装置体）５、ガラス１０、発射ユニット（不図示）、球皿１４を有している。発射ユニットは、遊技盤ユニット５に構成される遊技領域１６に向けて１球ずつ遊技球２３を発射可能である。
【００３２】
パチンコ機２は、遊技者が後述する発射装置ハンドル１５を操作することによって、遊技領域１６に向けて遊技球２３が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３３】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３４】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００３５】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００３６】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３７】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３８】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００３９】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４０】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４１】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００４２】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４３】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４４】
遊技盤６の裏面側には、パチンコ機２の全体の制御を行う第２電子基板としての主制御基板７６（図９参照）を収容した主制御基板ケース（第２基板ケース）７０と、演出表示装置７ａの画像表示等演出の制御等を行う第１電子基板としての演出制御基板５６（図９参照）を収容した演出制御基板ケース（第１基板ケース）５０と、主制御基板ケース７０と演出制御基板ケース５０との間に配置されたベース部材６０と、を有する制御基板ユニットＵが設けられている。この制御基板ユニットＵについては、後述にて詳細に説明する。
【００４５】
更に、遊技盤６の裏面側には、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出契機となり、あるものはいずれの入球装置にも流入せずに遊技領域１６内最下部に位置するアウト口３０に流入してアウト球としてパチンコ機２の外部側へと排出される。
【００４７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４８】
次いで、実施の形態に係る制御基板ユニットＵについて、図３から図９を用いて詳細に説明する。以下の説明においては、上下及び前後左右の方向は、遊技者からパチンコ機２を見た際の方向に基づいて定義し、図中に適宜図示する。なお、本実施の形態では、主制御基板を収容する主制御基板ケース７０及び演出制御基板を収容する演出制御基板ケース５０を有する制御基板ユニットＵについて例示して説明するが、本発明に係る電子基板ユニットは、他の制御基板ケースを有して構成されていてもよい。
【００４９】
図３は、制御基板ユニットＵの背面図である。図４は、制御基板ユニットＵの斜視図である。（ａ）は右上方から視認した状態を示しており、（ｂ）は左下方から視認した状態を示している。図５及び図６は、制御基板ユニットＵの分解斜視図である。図５は左後方から視認した状態を示しており、図６は右前方から視認した状態を示している。なお、図３においては説明の便宜上、後述する中継基板４２を省略して示している。
【００５０】
制御基板ユニットＵは、遊技盤６の裏面側に固定される装着カバー部材４０と、装着カバー部材４０の後面を覆うように配置される演出制御基板ケース５０と、演出制御基板ケース５０の後面を覆うように配置されたベース部材６０と、ベース部材６０の後面を覆うように配置された主制御基板ケース７０と、を有する。
【００５１】
装着カバー部材４０は、遊技盤６の背面側に固定されており、演出制御基板ケース５０等を装着するための部材である。装着カバー部材４０は、ビス等の固定部材によって遊技盤６の背面側に固定されている。装着カバー部材４０の後面には、金属製の第１プレート部材４１が配置されている。第１プレート部材４１を設けることにより、その後方に配置されている演出制御基板ケース５０内の演出制御基板５６等に対するノイズを低減することができる。
【００５２】
第１プレート部材４１の後面には、演出制御基板ケース５０が配置されている。演出制御基板ケース５０の前面には、第１プレート部材４１に開口形成された開口穴部４１ａと係合する前面爪部５１が設けられている。前面爪部５１と開口穴部４１ａと係合することにより、第１プレート部材４１は、演出制御基板ケース５０に係止される。第１プレート部材４１が係止された状態において、演出制御基板ケース５０は、装着カバー部材４０に固定されている。演出制御基板ケース５０が装着カバー部材４０に固定されることにより、第１プレート部材４１は、装着カバー部材４０と演出制御基板ケース５０との間に配置される。
【００５３】
演出制御基板ケース５０の後方には、ベース部材６０が配置されている。ベース部材の前面側（演出制御基板ケース５０側）には、ノイズを低減するために金属性の第２プレート部材６６が装着されている（図６参照）。ベース部材６０と演出制御基板ケース５０の下端には、ヒンジ部が設けられており、ベース部材６０は、演出制御基板ケース５０に対してヒンジ部を介して揺動開閉されるように構成されている。ヒンジ部は、演出制御基板ケース５０に形成されたヒンジ軸受部５２と、ベース部材６０に形成されたヒンジ軸部６２と、によって構成されており、ヒンジ軸部６２がヒンジ軸受部５２に挿入されている。
【００５４】
また、演出制御基板ケース５０の上端には、ベース部材６０と係合する係合凹部（第１基板係合部）５３が形成されており、ベース部材６０の上端には、演出制御基板ケース５０の係合凹部５３と係合する係合爪部（ベース第１係合部）６３が形成されている。係合爪部６３は、ベース部材６０の上端において前方に突出して形成されており、下方に向けて突出した掛かり部６３ａを有する（図８参照）。ベース部材６０は、樹脂によって形成されており、係合爪部６３は、上方に弾性変形可能に構成されている。
【００５５】
ベース部材６０と演出制御基板ケース５０とを係合させる際には、ヒンジ部を中心にベース部材６０を回転方向に移動する。係合爪部６３を上方に弾性変形させた状態でベース部材６０を演出制御基板ケース５０の後面を覆うように配置して、係合爪部６３の変形を解除することにより、係合爪部６３の掛かり部６３ａが係合凹部５３に侵入して、係合爪部６３と係合凹部５３とが係合した第１係合状態となる。この第１係合状態では、演出制御基板ケース５０とベース部材６０との相対移動が規制される。
【００５６】
また、第１係合状態において係合爪部６３を上方に押圧することにより、係合爪部６３が弾性変形して、係合爪部６３と係合凹部５３との第１係合状態が解除された第１非係合状態となる。第１非係合状態では、演出制御基板ケース５０とベース部材６０との相対移動が可能となる。図７は、第１非係合状態のベース部材６０及び演出制御基板ケース５０を示しており、ベース部材６０を演出制御基板ケース５０に対して略９０度回転させた状態を示している。
【００５７】
また、本実施の形態に係る制御基板ユニットＵの上方には、規制部材としての液晶カバー部材４３が配置されている（図２参照）。液晶カバー部材４３は、遊技盤６に装着される演出表示装置７ａを覆うように取り付けられている。液晶カバー部材４３が制御基板ユニットＵの上方に配置された状態においては、係合爪部６３へのアクセスが規制され、第１解除操作を実行できないように構成されている。したがって、第１解除操作を実行するためには、液晶カバー部材４３を取り外して、その後に第１解除操作を実行するように構成されている。
【００５８】
ベース部材６０の後方には、主制御基板ケース７０が配置されている。主制御基板ケース７０は、ベース部材６０に対して左右方向にスライド移動するように構成されている。主制御基板ケース７０の前面には、スライド爪部７４が突出して形成されており、ベース部材６０の背面には、スライド爪部７４が挿入可能なスライド凹部６４が形成されている。主制御基板ケース７０をベース部材６０に対して左方向にスライド移動させることにより、スライド爪部７４がスライド凹部６４に引っ掛かり、前後方向及び上下方向におけるベース部材６０と主制御基板ケース７０との相対移動が規制される。
【００５９】
また、ベース部材６０の右端部には、前後方向に変形可能な押圧片（ベース第２係合部）６５が形成されている。押圧片６５は、後方に突出した掛かり部６５ａが形成されている（図９及び図１０参照）。押圧片６５の掛かり部６５ａは、主制御基板ケース７０の左端部の左壁部７５に引っ掛かるように構成されている。
【００６０】
ベース部材６０と主制御基板ケース７０とを係合させる際には、押圧片６５を前方に弾性変形させた状態で主制御基板ケース７０をベース部材６０に対して左方に移動させる。主制御基板ケース７０をベース部材６０の後面を覆う位置まで移動すると、スライド爪部７４がスライド凹部６４に侵入する。そして、その状態において押圧片６５の押圧を解除すると、押圧片６５の掛かり部６５ａが左壁部７５に係止して、押圧片６５と左壁部７５とが係合した第２係合状態となる。
【００６１】
第２係合状態において押圧片６５を前方に押圧することにより（第２解除操作を実行することにより）、押圧片６５が弾性変形して、押圧片６５が左壁部７５から離間して第２係合状態が解除された第２非係合状態となる。第２非係合状態では、主制御基板ケース７０とベース部材６０との相対移動が可能となる。
【００６２】
図８は、第２非係合状態のベース部材６０及び主制御基板ケース７０を示しており、主制御基板ケース７０をベース部材６０に対して右方にスライド移動した状態である。なお、図８における主制御基板ケース７０及びベース部材６０は、係合凹部５３及び係合爪部６３を中心軸として演出制御基板ケース５０に対して略９０度回転させた状態である。図８においては、主制御基板ケース７０及びベース部材６０以外の演出制御基板ケース５０を省略して示す。
【００６３】
ベース部材６０と演出制御基板ケース５０が係合した第１係合状態では、押圧片６５の下方に演出制御基板ケース５０の背面に形成されたリブ５４が配置されており、押圧片６５の前方への弾性変形が規制されている。図９は、図３に示すＡ−Ａ断面図であり、図１０は、図９に示すＢ部分の拡大図である。図９及び図１０に示すように、第１係合状態及び第２係合状態では、押圧片６５の前方にリブ５４が配されており、第２解除操作を実行することができない。したがって、ベース部材６０と主制御基板ケース７０との第２係合状態を解除するためには、まず第１係合状態を解除して、第１非係合状態において第２解除操作を実行する必要がある。
【００６４】
また、本実施の形態に係る制御基板ユニットＵは、ベース部材６０と主制御基板ケース７０を係合した第２係合状態において、押圧片６５を覆うように中継基板４２が配置されている（図４参照）。したがって、中継基板４２を取り外さなければ、押圧片６５を操作することができず、第２解除操作を実行できないように構成されている。
【００６５】
次いで、このように構成された制御基板ユニットＵの取り外し手順について説明する。まず、液晶カバー部材４３を遊技盤６の後面から取り外す。次いで、第１解除操作を行う。具体的には、係合爪部６３を上方に押圧して、係合爪部６３と係合凹部５３との係合を解除する。係合爪部６３と係合凹部５３との係合状態を解除した状態で、ベース部材６０と主制御基板ケース７０を演出制御基板ケース５０に対して回転させることにより、第１係合状態が解除された第１非係合状態となる。
【００６６】
ベース部材６０を回転移動することにより、押圧片６５とリブ５４とが離間するため、次いで第２解除操作を実行する。まず、押圧片６５を覆うように配置された中継基板４２を取り外す。そして、押圧片６５を前方に向けて押圧して（図７に示す状態においては上方に押圧して）、押圧片６５と左壁部７５とを離間させることにより、第２係合状態が解除された第２非係合状態となる。次いで、主制御基板ケース７０を右方にスライド移動することにより、主制御基板ケース７０とベース部材６０とが分離可能となる。
【００６７】
このような手順によって、主制御基板ケース７０、ベース部材６０及び演出制御基板ケース５０を互い分離することができる。また、逆の手順を行うことにより、主制御基板ケース７０、ベース部材６０及び演出制御基板ケース５０を互いに係合された状態で遊技盤６の背面側に取り付けることができる。
【００６８】
以上のように、本実施の形態に係る制御基板ユニットＵによれば、主制御基板ケース７０、ベース部材６０及び演出制御基板ケース５０の分離作業に手間と時間を要するように構成することができ、制御基板ケースの不正な取り外しを常に防止することができる。したがって、主制御基板ケース７０及び演出制御基板ケース５０に内包される主制御基板７６及び演出制御基板５６への不正アクセスを効果的に防止することができ、セキュリティー性を向上させることが可能となる。
【００６９】
更に、制御基板ユニットＵの直上に液晶カバー部材４３が配置されており、液晶カバー部材４３を取り外さない限り第１解除操作を実行することができないように構成されており、かつ押圧片６５を覆うように中継基板４２が配置されており、中継基板４２を取り外さない限り第２解除操作を実行することができないように構成されているため、制御基板ケースの取り外し作業を更に複雑かつ困難にすることができ、セキュリティー性を効果的に高めることが可能となる。
【００７０】
以上、本発明の好ましい実施の形態を説明したが、本発明はこれらに限定されるものではなく、その要旨の範囲内で様々な変形や変更が可能である。例えば、実施の形態では、制御基板ユニットＵの直上に液晶カバー部材４３を配置して、液晶カバー部材４３を取り外さない限り第１解除操作を実行することができないように構成されているが、変形例を概念することができる。
【００７１】
変形例に係る制御基板ユニットは、制御基板ユニットの右側端又は左側端を中心軸として揺動可能に構成されており、制御基板ユニットを（例えば、略９０度）回転移動させることによって制御基板ユニットが液晶カバー部材の下方から移動して、第１解除操作が実行可能となる。このような変形例に係る制御基板ユニットによっても、制御基板ユニットを回転移動しない限り第１解除操作を実行することができないため、制御基板ケースの取り外し作業を複雑かつ困難にすることができ、セキュリティー性を効果的に高めることが可能となる。
【符号の説明】
【００７２】
Ｕ：制御基板ユニット（電子基板ユニット）
２：パチンコ機（遊技機）
３：遊技機枠
４：外枠
５：遊技盤ユニット（遊技装置体）
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３７：払出制御基板ケース
３８：電源基板ケース
３９：外部出力端子板
４０：装着カバー部材
４１：第１プレート部材
４１ａ：開口穴部
４２：中継基板
４３：液晶カバー部材
５０：演出制御基板ケース（第１基板ケース）
５１：前面爪部
５２：ヒンジ軸受部
５３：係合凹部（第１基板係合部）
５４：リブ
５６：演出制御基板（第１電子基板）
６０：ベース部材
６２：ヒンジ軸部
６３：係合爪部（ベース第１係合部）
６３ａ：掛かり部
６４：スライド凹部
６５：押圧片（ベース第２係合部）
６５ａ：掛かり部
６６：第２プレート部材
７０：主制御基板ケース（第２基板ケース）
７４：スライド爪部
７５：左壁部（第２基板係合部）
７６：主制御基板（第２電子基板）
【図１】
0005424485.tif 000002
【図２】
0005424485.tif 000003
【図３】
0005424485.tif 000004
【図４】
0005424485.tif 000005
【図５】
0005424485.tif 000006
【図６】
0005424485.tif 000007
【図７】
0005424485.tif 000008
【図８】
0005424485.tif 000009
【図９】
0005424485.tif 000010
【図１０】
0005424485.tif 000011